(57)【要約】  本発明は、実質的に透明なまたは低着色トナーを用いて製作される、ハーフトーン領域の光沢差を制御する方法に関する。本発明の目的は、トナーおよび紙の光沢特性または選定された溶融方法に制限されずに、紙にデジタルすかしを製作することが可能な方法を提供することである。本発明は、低着色トナーまたは透明トナーを用いた光沢マーク技術を利用して、透明、低密度または高密度のすかしを製作する方法に関する。光沢マーク技術では、第1の異方性構造を有する第1のハーフトーン画像を選定するステップと、前記第1のハーフトーンとは異なる第2の構造を有する第2のハーフトーン画像を選定するステップと、ハーフトーン構造の少なくとも一部に、前記第1のハーフトーンを設置するステップと、ハーフトーン構造の別の部分に、前記第2のハーフトーンを設置するステップと、を有し、画像の光沢差が制御される。【特許請求の範囲】
【請求項１】
第1の異方性構造を有する第1のハーフトーン画像を選定するステップと、
前記第1のハーフトーンの構造とは異なる、第2の構造を有する第2のハーフトーン画像を選定するステップと、
前記ハーフトーン画像の少なくとも一部に、前記第1のハーフトーンを設置するステップと、
前記ハーフトーン画像の別の部分に、前記第2のハーフトーンを設置するステップと、
を用いて、画像の光沢差を制御する方法であって、
実質的に無色のトナーが使用され、前記第1および第2のハーフトーン画像が具現化されることを特徴とする方法。
【請求項２】
前記第2の構造は、異方性配向を有することを特徴とする請求項1に記載の方法。
【請求項３】
前記画像は、20％から80％の面積密度を有することを特徴とする請求項2に記載の方法。
【請求項４】
被覆率100％で個別に測定された紙とトナーの光沢は、ほぼ等しいことを特徴とする請求項3に記載の方法。
【請求項５】
前記第1の異方性構造配向および前記第2の異方性構造配向は、90゜ずれていることを特徴とする請求項3に記載の方法。
【請求項６】
前記ハーフトーン画像は、静電記録式プリンタ用であることを特徴とする請求項3に記載の方法。
【請求項７】
前記第2のハーフトーンは、前記ハーフトーン画像の残りの部分に設置されることを特徴とする請求項3に記載の方法。
【請求項８】
第1の異方性構造を有する第1のハーフトーン画像を選定するステップと、
前記第1のハーフトーンとは異なる、第2の構造配向を有する第2のハーフトーンを選定するステップと、
前記ハーフトーン画像の少なくとも一部に、前記第1のハーフトーンを設置するステップと、
前記ハーフトーン画像の別の部分に、前記第2のハーフトーンを設置するステップと、
を用いて、着色トナーを用いて製作される低密度画像の光沢差を制御する方法であって、
前記着色トナー構造に、実質的に無色のトナーが添加され、
前記着色トナーの面積被覆率と、前記実質的に無色のトナーの面積被覆率を合わせた全面積被覆率は、20％から80%の範囲であることを特徴とする方法。
【請求項９】
前記第2の構造は、異方性配向を有することを特徴とする請求項8に記載の方法。
【請求項１０】
前記着色トナーの面積被覆率と、前記実質的に無色のトナーの面積被覆率を合わせた全面積被覆率は、30％から70%の範囲であることを特徴とする請求項9に記載の方法。
【請求項１１】
前記着色トナーの面積被覆率と、前記実質的に無色のトナーの面積被覆率を合わせた全面積被覆率は、40％から60%の範囲であることを特徴とする請求項10に記載の方法。
【請求項１２】
前記着色トナーの単独の総面積被覆率は、20％以下であることを特徴とする請求項9に記載の方法。
【請求項１３】
前記第1の異方性構造配向と、前記第2の異方性構造配向は、90゜ずれていることを特徴とする請求項9に記載の方法。
【請求項１４】
前記第2のハーフトーンは、前記ハーフトーン画像の残りの部分に設置されることを特徴とする請求項10に記載の方法。
【請求項１５】
前記ハーフトーン画像は、静電記録式プリンタ用であることを特徴とする請求項10に記載の方法。
【請求項１６】
第1の異方性構造を有する第1のハーフトーン画像を選定するステップと、
前記第1のハーフトーンとは異なる、第2の構造配向を有する第2のハーフトーンを選定するステップと、
前記ハーフトーン画像の少なくとも一部に、前記第1のハーフトーンを設置するステップと、
前記ハーフトーン画像の別の部分に、前記第2のハーフトーンを設置するステップと、
を用いて、着色トナーを用いて製作される高密度画像の光沢差を制御する方法であって、
前記着色トナー構造に、実質的に無色のトナーが添加され、
前記着色トナーの面積被覆率と、前記実質的に無色のトナーの面積被覆率を合わせた全面積被覆率は、＞100%であることを特徴とする方法。
【請求項１７】
第1の異方性構造を有する第1のハーフトーン画像を選定するステップと、
前記第1のハーフトーンとは異なる、第2の構造配向を有する第2のハーフトーンを選定するステップと、
前記ハーフトーン画像の少なくとも一部に、前記第1のハーフトーンを設置するステップと、
前記ハーフトーン画像の別の部分に、前記第2のハーフトーンを設置するステップと、
を用いて、着色トナーを用いて製作される低密度画像の光沢差を制御する方法であって、
トナーの全面積被覆率が30％から70％の範囲となるように、色素の濃度が低減されたトナーが使用されることを特徴とする方法。
【請求項１８】
前記第2の構造は、異方性配向を有することを特徴とする請求項16または17に記載の方法。
【請求項１９】
前記着色トナーの面積被覆率と、前記実質的に無色のトナーの面積被覆率を合わせた全面積被覆率は、30％から70%の範囲であることを特徴とする請求項18に記載の方法。
【請求項２０】
前記着色トナーの面積被覆率と、前記実質的に無色のトナーの面積被覆率を合わせた全面積被覆率は、40％から60%の範囲であることを特徴とする請求項19に記載の方法。
【請求項２１】
前記着色トナーの単独の総面積被覆率は、20％以下であることを特徴とする請求項18に記載の方法。
【請求項２２】
前記第1の異方性構造配向と、前記第2の異方性構造配向は、90゜ずれていることを特徴とする請求項19に記載の方法。
【請求項２３】
前記第2のハーフトーンは、前記ハーフトーン画像の残りの部分に設置されることを特徴とする請求項19に記載の方法。
【請求項２４】
前記ハーフトーン画像は、静電記録式プリンタ用であることを特徴とする請求項19に記載の方法。
【請求項２５】
異方性構造配向を有する第1のハーフトーンと、
該第1のハーフトーンとは異なる構造を有する、少なくとも一つの追加のハーフトーンタイプと、
を有するハーフトーン画像であって、
前記第1のハーフトーンは、前記ハーフトーン画像の一部に設置され、前記少なくとも一つの追加のハーフトーンタイプは、前記画像の別の部分に設置され、
実質的に無色のトナーが使用され、前記第1および第2のハーフトーン画像が具現化されることを特徴とするハーフトーン画像。
【請求項２６】
異方性構造配向を有する第1のハーフトーンと、
該第1のハーフトーンとは異なる構造を有する、少なくとも一つの追加のハーフトーンタイプと、
を有するハーフトーン画像であって、
前記第1のハーフトーンは、前記ハーフトーン画像の一部に設置され、前記少なくとも一つの追加のハーフトーンタイプは、前記画像の別の部分に設置され、
前記着色トナー構造に、実質的に無色のトナーが添加され、
前記着色トナーの面積被覆率と、前記実質的に無色のトナーの面積被覆率を合わせた全面積被覆率は、20％から80%の範囲であることを特徴とするハーフトーン画像。
【請求項２７】
異方性構造配向を有する第1のハーフトーンと、
該第1のハーフトーンとは異なる構造を有する、少なくとも一つの追加のハーフトーンタイプと、
を有するハーフトーン画像であって、
前記第1のハーフトーンは、前記ハーフトーン画像の一部に設置され、前記少なくとも一つの追加のハーフトーンタイプは、前記画像の別の部分に設置され、
トナーの全面積被覆率が30％から70%の範囲となるように、色素の濃度が抑制されたトナーが使用されることを特徴とするハーフトーン画像。
【請求項２８】
異方性構造配向を有する第1のハーフトーンと、
該第1のハーフトーンとは異なる構造を有する、少なくとも一つの追加のハーフトーンタイプと、
を有するハーフトーン画像であって、
前記第1のハーフトーンは、前記ハーフトーン画像の一部に設置され、前記少なくとも一つの追加のハーフトーンタイプは、前記画像の別の部分に設置され、
前記着色トナー構造に、実質的に無色のトナーが添加され、
前記着色トナーの面積被覆率と、前記実質的に無色のトナーの面積被覆率を合わせた全面積被覆率は、＞100％であることを特徴とするハーフトーン画像。
【請求項２９】
基材およびハーフトーン画像を有する印字項目であって、
前記ハーフトーン画像は、異方性構造配向を有する第1のハーフトーンと、前記第1のハーフトーンとは異なる構造を有する少なくとも一つの追加のハーフトーンタイプとを有し、
前記第1のハーフトーンは、前記ハーフトーン画像の一部に設置され、前記少なくとも一つの追加のハーフトーンタイプは、前記画像の別の部分に設置され、
実質的に無色のトナーが使用され、前記第1および第2のハーフトーン画像が具現化されることを特徴とする印字項目。
【請求項３０】
基材およびハーフトーン画像を有する印字項目であって、
前記ハーフトーン画像は、異方性構造配向を有する第1のハーフトーンと、該第1のハーフトーンとは異なる構造を有する少なくとも一つの追加のハーフトーンタイプとを有し、
前記第1のハーフトーンは、前記ハーフトーン画像の一部に設置され、前記少なくとも一つの追加のハーフトーンタイプは、前記画像の別の部分に設置され、
着色トナー構造に、実質的に無色のトナーが添加され、前記着色トナーの面積被覆率と、前記実質的に無色のトナーの面積被覆率を合わせた全面積被覆率は、20％から80%の範囲であることを特徴とする印字項目。
【請求項３１】
基材およびハーフトーン画像を有する印字項目であって、
前記ハーフトーン画像は、異方性構造配向を有する第1のハーフトーンと、該第1のハーフトーンとは異なる構造を有する少なくとも一つの追加のハーフトーンタイプとを有し、
前記第1のハーフトーンは、前記ハーフトーン画像の一部に設置され、前記少なくとも一つの追加のハーフトーンタイプは、前記画像の別の部分に設置され、
トナーの総面積被覆率が30％から70％の範囲となるように、色素の濃度が抑制されたトナーが使用されることを特徴とする印字項目。
【請求項３２】
基材およびハーフトーン画像を有する印字項目であって、
前記ハーフトーン画像は、異方性構造配向を有する第1のハーフトーンと、該第1のハーフトーンとは異なる構造を有する少なくとも一つの追加のハーフトーンタイプとを有し、
前記第1のハーフトーンは、前記ハーフトーン画像の一部に設置され、前記少なくとも一つの追加のハーフトーンタイプは、前記画像の別の部分に設置され、
着色トナー構造に、実質的に無色のトナーが添加され、前記着色トナーの面積被覆率と、前記実質的に無色のトナーの面積被覆率を合わせた全面積被覆率は、＞100％であることを特徴とする印字項目。
【請求項３３】
基材およびハーフトーン画像を有する印字項目を製作する装置であって、
前記ハーフトーン画像は、異方性構造配向を有する第1のハーフトーンと、該第1のハーフトーンとは異なる構造を有する少なくとも一つの追加のハーフトーンタイプとを有し、
前記第1のハーフトーンは、前記ハーフトーン画像の一部に設置され、前記少なくとも一つの追加のハーフトーンタイプは、前記画像の別の部分に設置され、
実質的に無色のトナーが使用され、前記第1および第2のハーフトーン画像が具現化されることを特徴とする装置。
【請求項３４】
基材およびハーフトーン画像を有する印字項目を製作する装置であって、
前記ハーフトーン画像は、異方性構造配向を有する第1のハーフトーンと、該第1のハーフトーンとは異なる構造を有する少なくとも一つの追加のハーフトーンタイプとを有し、
前記第1のハーフトーンは、前記ハーフトーン画像の一部に設置され、前記少なくとも一つの追加のハーフトーンタイプは、前記画像の別の部分に設置され、
着色トナー構造に、実質的に無色のトナーが添加され、前記着色トナーの面積被覆率と、前記実質的に無色のトナーの面積被覆率を合わせた全面積被覆率は、20％から80%の範囲であることを特徴とする装置。
【請求項３５】
基材およびハーフトーン画像を有する印字項目を製作する装置であって、
前記ハーフトーン画像は、異方性構造配向を有する第1のハーフトーンと、該第1のハーフトーンとは異なる構造を有する少なくとも一つの追加のハーフトーンタイプとを有し、
前記第1のハーフトーンは、前記ハーフトーン画像の一部に設置され、前記少なくとも一つの追加のハーフトーンタイプは、前記画像の別の部分に設置され、
トナーの総面積被覆率が30％から70％の範囲となるように、色素の濃度が抑制されたトナーが使用されることを特徴とする装置。
【請求項３６】
基材およびハーフトーン画像を有する印字項目を製作する装置であって、
前記ハーフトーン画像は、異方性構造配向を有する第1のハーフトーンと、前記第1のハーフトーンとは異なる構造を有する少なくとも一つの追加のハーフトーンタイプとを有し、
前記第1のハーフトーンは、前記ハーフトーン画像の一部に設置され、前記少なくとも一つの追加のハーフトーンタイプは、前記画像の別の部分に設置され、
着色トナー構造に、実質的に無色のトナーが添加され、前記着色トナーの面積被覆率と、前記実質的に無色のトナーの面積被覆率を合わせた全面積被覆率は、＞100％であることを特徴とする装置。
【発明の詳細な説明】
【技術分野】
【０００１】
本発明は、ハーフトーン領域の光沢差を制御する装置に関する。特に、本発明は、実質的に透明なトナーのハーフトーン画像が単独で、または低密度もしくは高密度ハーフトーン画像とともに、基材上に印刷される際に、印刷光沢を制御することにより、デジタルすかしおよび光沢マークを製作する方法に関する。
【背景技術】
【０００２】
文書資料を複製から保護することが望まれている。これは、内容物の一部を、人間の読者には容易に観察されるが、複写機またはスキャナでは視認できないようにすることにより、行うことができる。透明トナーまたはインクを用いて印刷された画像は、反射光と散乱光に差異が生じることで、ある角度で紙を眺める人間の読者には、識別することができるが、紙に対して直角に読み取るように制限された複写機またはスキャナでは、検出することはできない。
【０００３】
しばしば、透明または白色のトナーを使用して、複写または走査することができないデジタルすかしが形成されるが、これは、人間の読者には見ることができる。
【０００４】
米国特許第4210346号および5695220号には、特殊な白色紙および特殊な白色トナーを使用して、異なる角度で異なる散乱光特性を得る方法が示されている。この方法では、特殊な構造のトナーおよび紙が必要となる。
【０００５】
米国特許第6108512号には、透明トナーを用いて文字を印刷する複製不可能な印刷法が示されている。これは、光沢の異方性のため、人間の目には認識できるが、通常のスキャナでは認識することができない。この方法でも、やはり、光沢に大きな差異が生じるような、特殊な適合紙およびトナーが必要である。これは、マット紙上の光沢トナーと、光沢紙上のつや消しトナーの組み合わせでは機能するが、例えばデジタル商業印刷の分野で一般的な、光沢紙とこれと同じ光沢範囲のトナーとの組み合わせでは、使用することはできない。
【０００６】
米国特許第5788285号には、複製不可能な文書資料を製作する方法および製品が示されており、この場合、文書資料には、ほとんど見えない認証が印刷される。これは、所望のピッチの連続スクリーン線と、複製による再生が不可能な背景とからなる。これは、連続線の正／負の画像の直交再生によって形成され、所望の幅およびピッチの破線が製作される。
【０００７】
米国特許第5853197号には、認証担持用の上部表面を有する基材を有するように提供された安全文書が示されている。安全文書は、安全文書素子のパターンで構成される。背景素子および／または安全文書素子は、素子寸法、形状、角度、密度、および／または隣接領域間の周期が異なっている。
【０００８】
米国特許第5583660号には、ハーフトーンのドット中心の行列を有するスクリーンが示されており、この中では、列から列、行から行、および行から列の関係が等間隔となっているものの、列は、行に対して幾何学的に直交（垂直化）していない。
【０００９】
米国特許第5506671号には、受容素子上に、静電記録印刷方式で製作された少なくとも一つのカラートナー画像と組み合わせて、1または2以上の無色トナー画像を形成する、静電記録印刷処理法が示されている。
【００１０】
米国特許出願第20030231349号、20040000786号、および20040001233号には、配向に有意な差異があるものの、密度は一定のままである（光沢マーク）、異方構造特性を有するハーフトーンを選択的に適用することにより、画像（絵および文章）の光沢差を操作する方法が示されている。この場合、特殊なトナー／インクまたは紙を使用せずに、光沢画が画像に重ねられる。これらの文献の対象は、カラーハーフトーン画像に限られる。これは、低密度画像または具体的に50％未満の画像領域に使用することはできず、特に、30％未満またはさらには20％未満の領域密度には、使用することができない。同様に、これは、高密度画像または具体的に60％を超える画像領域には、使用することはできず、特に70％を超える領域、あるいは80％を超える領域密度には、使用することができない。これらの場合、その効果は、極めて弱く、人間の目では検出することができないからである。
【００１１】
これらの文献は、全内容が本願の参照文献として取り入れられている。
【特許文献１】米国特許第4210346号明細書
【特許文献２】米国特許第5695220号明細書
【特許文献３】米国特許第6108512号明細書
【特許文献４】米国特許第5788285号明細書
【特許文献５】米国特許第5853197号明細書
【発明の開示】
【発明が解決しようとする課題】
【００１２】
本発明の目的は、前述のような制約を受けずに、紙にデジタルすかしを製作することが可能な方法を提供することであり、これは、トナーの光沢特性、紙、または選択された溶融技術に制限されないことを意味する。
【課題を解決するための手段】
【００１３】
前述の課題は、
第1の異方性構造を有する第1のハーフトーン画像を選定するステップと、
前記第1のハーフトーンの構造とは異なる、第2の構造を有する第2のハーフトーン画像を選定するステップと、
前記ハーフトーン画像の少なくとも一部に、前記第1のハーフトーンを設置するステップと、
前記ハーフトーン画像の別の部分に、前記第2のハーフトーンを設置するステップと、
を用いて、画像の光沢差を制御する方法であって、
実質的に無色のトナーが使用され、前記第1および第2のハーフトーン画像が具現化されることを特徴とする方法によって解決される。
【００１４】
また、前述の課題は、
第1の異方性構造を有する第1のハーフトーン画像を選定するステップと、
前記第1のハーフトーンとは異なる、第2の構造配向を有する第2のハーフトーンを選定するステップと、
前記ハーフトーン画像の少なくとも一部に、前記第1のハーフトーンを設置するステップと、
前記ハーフトーン画像の別の部分に、前記第2のハーフトーンを設置するステップと、
を用いて、着色トナーを用いて製作される低密度画像の光沢差を制御する方法であって、
前記着色トナー構造に、実質的に無色のトナーが添加され、
前記着色トナーの面積被覆率と、前記実質的に無色のトナーの面積被覆率を合わせた全面積被覆率は、20％から80%の範囲であり、より好ましくは30％から70%の範囲であり、さらに好ましくは40％から60%の範囲であることを特徴とする方法によって解決される。あるいは、トナー中の色素の濃度は、トナーの全面積被覆率が、30％から70％の範囲となるように低減されても良い。この代替例の場合、同様に、全ての改良および修正が有効である。
【００１５】
さらに、前述の課題は、
第1の異方性構造を有する第1のハーフトーン画像を選定するステップと、
前記第1のハーフトーンとは異なる、第2の構造配向を有する第2のハーフトーンを選定するステップと、
前記ハーフトーン画像の少なくとも一部に、前記第1のハーフトーンを設置するステップと、
前記ハーフトーン画像の別の部分に、前記第2のハーフトーンを設置するステップと、
を用いて、着色トナーを用いて製作される低密度画像の光沢差を制御する方法であって、
前記着色トナー構造に、実質的に無色のトナーが添加され、
前記着色トナーの面積被覆率と、前記実質的に無色のトナーの面積被覆率を合わせた全面積被覆率は、＞100%であることを特徴とする方法によって解決される。
【００１６】
本発明は、光沢マーク技術および透明トナー／インクを用いて、透明すかし、低密度すかしおよび高密度すかしを製作する方法に関する。光沢マーク技術では、第1の異方性構造を有する第1のハーフトーン画像を選定するステップと、第1のハーフトーンの構造とは異なる第2の構造を有する第2のハーフトーン画像を選定するステップと、ハーフトーン画像の少なくとも一部に、第1のハーフトーンを設置するステップと、ハーフトーン画像の別の部分に、第2のハーフトーンを設置するステップと、を用いて、画像の光沢差が制御される。
【００１７】
構造の数は、限定されない。特定の実施例では、2つのハーフトーン構造が使用される。第2のハーフトーンは、ハーフトーン画像の残りの部分に設置されても良く、または残りの一部分のみに設置されても良い。第2のハーフトーンは、印刷の一部、または第1の異方性構造によって被覆されない印刷領域の残りの部分を被覆しても良い。第1の異方性構造と、第2の異方性構造の配向は、90゜ずれていても良い。
【００１８】
この文章において、ハーフトーンとは、好ましくは約20％から80％、またはより好ましくは、30％から70％、さらに好ましくは、40％から60％の面積被覆率を有するトナー層のスクリーン構造を意味する。この範囲では、これらは、固体領域およびトナー／インクの少ない領域の異方性構造を示す。面積被覆率の低い（10％）または高い（90％）領域では、その効果を人間の目によって観察することはできない。
【００１９】
また、本発明は、100％の被覆率で別個に測定された紙の光沢およびトナーの光沢が、ほぼ等しいことを特徴とする処理方法に関する。この場合、既存の方法では、光沢差が存在しないため、異方性構造を使用せずに透明トナーを使用すると、光沢差が得られなくなる。
【００２０】
この文章において、低密度領域とは、面積被覆率が十分に小さく、人間の目では観察されない異方性構造を有する領域を意味する。これらは、前述の面積被覆率限界よりも小さい面積被覆率を有し、特に、面積被覆率は、30％、20％または10％よりも小さい。
【００２１】
この文章において、高密度領域とは、面積被覆率が十分に大きく、人間の目では観察することができない異方性構造を有する領域を意味する。これらは、前述の面積被覆率限界を超える面積被覆率を有し、特に、面積被覆率は、80％、70％または60％を超える。
【００２２】
本発明において、実質的に透明なトナーは、色素および顔料を除き、従来のカラートナーと実質的に等しい組成のものである。透明トナーは、実質的に透明であり、適用されるカラートナーの固有の色は、物理的にマスクされず、画像からの反射光の相対量は、実質的に維持され、透明トナーによって物理的に減少しない。透明トナーは、可視スペクトル（400乃至700nm）域において、これが実質的に均一透明となる程度に、わずかに着色され、有色化され、または色素化される。
【００２３】
この方法は、これらのトナーとして、5〜10μｍの範囲の平均粒子寸法を有する乾燥トナーを使用する、静電記録式プリンタに特に適しており、このトナーは、溶融の際に含浸光沢マーク挙動を示す。
【００２４】
特に、本発明は、透明すかし、低密度または高密度すかしを製作する方法に関し、この場合、第2のハーフトーンの構造も、異方性配向を有する。
【００２５】
この技術では、適当な溶融技術により、紙とほぼ等しい光沢の画像を形成するトナーを用いて、可視すかしを製作することが可能となる。
【００２６】
特定の実施例では、5つの印刷モジュールを備えた静電記録式プリンタの第5のプリントモジュールを用いて、低着色トナー、特に、低着色シアンまたは低着色トナーのいずれかが設置される。紙に沿って、5つの画像ユニットが装着され、交互に直接もしくはブランケットシリンダを介して、または搬送ベルトを介して同時に、紙に対してこれらの色分離が転写される。
【００２７】
画像ユニットは、例えば、異なるトナーを次の順に有する：黒、黄色、暗マゼンダ、暗シアン、および暗マゼンダ、明るいシアンまたは明るい黒（灰色）。暗い黒、シアンおよびマゼンダの画像ユニットには、結果的に1.6以上の画像密度が得られるトナーが備えられ、明るいシアンもしくはマゼンダのトナーまたは灰色のトナーを備える画像ユニットは、1.0以下の画像密度となり、好ましくは、暗いシアンまたはマゼンダの黒色トナーで得られる画像密度の半分の画像密度となる。
【００２８】
両方の値は、全面積被覆率の上昇に関連し、これは、基材の形態にも依存するが、面積被覆率が約95％を超えることを意味する。
【００２９】
トナー粒子の平均粒子寸法は、4乃至10μｍであり、5乃至9μｍであることが好ましく、6乃至8μｍであることが最も好ましい。
【００３０】
第5の位置での明シアン、明マゼンダおよび灰色の画像ステーションは、トナーホッパーと容易に置換することができる。第5の画像化ユニットにおける明るいトナーの選定は、画像内容に基づき、作業者または色選定ソフトウェアのいずれかによって行われる。
【００３１】
異方性ハーフトーン画像の面積被覆は、同様の光沢の低色素シアンまたは低色素マゼンダまたは低色素黄色トナーまたは低色素（灰色）黒色トナーのいずれかを用いて行われ、着色トナーの全面積被覆率は、20％から80％の範囲となり、好ましくは30％から70％の範囲となり、より好ましくは、40％から60％の範囲となる。低着色トナーを用いて、同じ画像密度を得るための面積被覆率は、以下の関係によって高めることができる：
R＝CN／CL
ここでCNは、通常の着色トナー中の色素の濃度であり、CLは、低着色トナー中の同じ色素の濃度である。同じ面積被覆率での画像密度の低減は、低着色強度の色素を使用することにより、または同じ面積被覆率で画像密度を低下させる他の色素を追加することにより、行うことができる。これは、白色もしくは銀の色素または別の明るい色の色素である（例えば、酸化チタン、酸化亜鉛、または酸化チタンストロンチウム）。
【００３２】
灰色のトナーは、低濃度（通常、0.1％から2％）の黒色色素を含む低色素黒色トナーであっても良い。これは、好ましくは、カーボンブラック、マグネタイト、または任意で表面処理されたコア粒子として、ヘマタイトもしくは黒色鉄酸化物水酸化物粒子を有する黒色非磁性複合粒子である。前述のような白色または銀の色素粒子が使用される場合、黒色色素濃度は、0.2から5%の範囲であり、白色または銀の色素は、5％から10%の範囲である。
【００３３】
人間の目に対する異方性の視覚化は、紙上の同じ光沢レベルのトナー／インクの全被覆率に依存し、色素には依存しない。
【発明を実施するための最良の形態】
【００３４】
図1には、角度60゜で測定された光沢レベルを示す。標準的な光沢紙は、測定光沢が39゜となるところで使用される。面積被覆率0％での光沢の値は、紙の光沢である。トナーは、標準的なカラートナーであり、標準的なホットロール溶融機を用いて、紙に溶融されるものである。ホットローラの温度は、160℃であった。溶融機を通過する際の紙の送り速度は、30cm／ｓであった。
【００３５】
図1には、面積被覆率の増加とともに光沢が減少する様子を示す。10％の面積被覆率では、光沢値は、30に達する。面積被覆率10％では、紙と画像の間の光沢の差異は、9しかない。この差異は、極めて小さく、人間の目では、明確な光沢マーク効果を観察することはできない。低着色トナーを使用した場合、または実質的に透明なトナーを添加した場合、紙に対する光沢の差異が助長され、これにより光沢マーク効果が視認されるようになる。得られる光沢レベルは、面積被覆率の増加とともに減少し、約50％で飽和値に至る。面積被覆率がさらに増大すると、光沢レベルは、一定のままであるが、紙を覆うトナー／インクの割合が低下するため、光沢マーク効果は低下する。
【００３６】
図2には、別のトナー／紙の組み合わせにおける、角度60゜で測定された光沢の面積被覆率に対する依存性を示す。標準的な光沢紙は、測定光沢が35゜のところで使用される。面積被覆率0％での光沢値は、紙の光沢である。トナーは、非接触式溶融法用のカラートナーであり、この例では、マイクロ波溶融法を用いて、紙に溶融される。
【００３７】
図2から、面積被覆率の増加とともに、測定光沢レベルは減少し、さらに紙の光沢との光沢差は、増大する。10％の面積被覆率では、この光沢は、30に達する。10％の面積被覆率での紙と画像光沢との光沢差は、5しかない。この際は、極めて小さく、人間の目では、明確な光沢マーク効果を観察することはできない。低着色トナーを使用した場合、または実質的に透明なトナーを使用した場合、紙との光沢差が助長され、これにより、光沢マーク効果が視認できるようになる。測定光沢レベルは、面積被覆率の増加とともに低下し、50％では、値19に至る。この結果、紙との光沢差は、15となり、これは、人間の目で検知することができる。面積被覆率がさらに増加すると、紙との光沢差は、さらに増大するが、紙を覆うトナー／インクの割合が減少するため、光沢マーク効果は低下する。
【図面の簡単な説明】
【００３８】
【図１】角度60゜で測定された光沢の面積被覆率に対する依存性を示した図である。
【図２】別のトナー／紙の組み合わせにおける、角度60゜で測定された光沢の面積被覆率に対する依存性を示した図である。
【図１】
2008535293.tif 000002
【図２】
2008535293.tif 000003
【国際調査報告】
2008535293.tif 000004
2008535293.tif 000005
2008535293.tif 000006
2008535293.tif 000007
2008535293.tif 000008